(57)【要約】【課題】タッチパネルを備えた携帯端末装置を把持しているユーザ以外の他人の操作を無効にすることにより、ユーザが意図しない操作を防止することが可能な携帯端末装置を提供する。【解決手段】携帯端末装置は、筐体と、筐体の第１の面に設けられ、タッチ入力を受け付け可能なタッチパネルと、筐体を把持するユーザの手に接触する位置に設けられた電極と、制御部とを備える。制御部は、電極を介して電気信号を出力する出力部と、出力部により出力された電気信号を検出する検出部と、タッチパネルによりタッチ入力が受け付けられた場合に電気信号が検出されたときには当該受け付けられたタッチ入力を有効にし、タッチパネルによりタッチ入力が受け付けられた場合に電気信号が検出されないときには、受け付けられたタッチ入力を無効にする入力制御部とを含む。【選択図】図７
2016057681.tif 000002
【特許請求の範囲】
【請求項１】
筐体と、
前記筐体の第１の面に設けられ、タッチ入力を受け付け可能なタッチパネルと、
前記筐体を把持するユーザの手に接触する位置に設けられた電極と、
制御部とを備え、
前記制御部は、
前記電極を介して電気信号を出力する出力部と、
前記出力部により出力された前記電気信号を検出する検出部と、
前記タッチパネルによりタッチ入力が受け付けられた場合に前記電気信号が検出されたときには当該受け付けられたタッチ入力を有効にし、前記タッチパネルによりタッチ入力が受け付けられた場合に前記電気信号が検出されないときには、前記受け付けられたタッチ入力を無効にする入力制御部とを含む、携帯端末装置。
【請求項２】
前記タッチパネル上に設けられ、導電性パターンが形成された透明シートをさらに備え、
前記検出部は、前記透明シートを介して前記電気信号を検出する、請求項１に記載の携帯端末装置。
【請求項３】
前記タッチパネルによりタッチ入力が受け付けられた場合に、前記出力部は、前記電極を介して前記電気信号を出力する、請求項１または２に記載の携帯端末装置。
【請求項４】
前記電気信号は、パルス信号を含み、
前記タッチパネルによりタッチ入力が受け付けられた場合に、前記検出部は、前記受け付けられたタッチ入力の信号に重畳されている前記パルス信号を検出し、
前記入力制御部は、前記パルス信号が検出された場合には当該受け付けられたタッチ入力を有効にし、前記パルス信号が検出されない場合には当該受け付けられたタッチ入力を無効にする、請求項１に記載の携帯端末装置。
【請求項５】
前記筐体へのユーザの接触を検知するための接触検知部をさらに備え、
前記接触検知部により前記筐体へのユーザの接触が検知された場合に、前記出力部、前記検出部および前記入力制御部による一連の処理が実行される、請求項１〜４のいずれか１項に記載の携帯端末装置。
【発明の詳細な説明】
【技術分野】
【０００１】
本開示は、携帯端末装置に関し、特に、タッチパネルを備えた携帯端末装置に関する。
【背景技術】
【０００２】
従来、スマートフォンなどの携帯端末装置は、直感的な操作で情報の入出力を行なうためのタッチ機能付きの表示画面を有している。タッチ機能付きの表示画面には、その全面に透明なタッチパネルが設置されている。使用者は、表示画面に表示された画像やピクトグラムなどを指やペンなどで触れることで情報を入力したり、外部に情報を発信したりすることができる。
【０００３】
たとえば、特開２０１３−１８６８５２号公報（特許文献１）は、情報入出力装置を開示している。この情報入出力装置は、タッチ位置を検出するための配線、および配線が接続されたタッチパネル制御部を備えたタッチパネルと、記憶装置とから構成されている。
【先行技術文献】
【特許文献】
【０００４】
【特許文献１】特開２０１３−１８６８５２号公報
【発明の概要】
【発明が解決しようとする課題】
【０００５】
しかしながら、特許文献１に開示された技術では、タッチパネルを備えた電子機器を把持している者以外の他人がタッチパネルにタッチした場合であっても情報の入出力が行われてしまう。たとえば、電子機器を把持した親が子供に対して動画などを見せているときに、操作方法の分からない子供がタッチパネルに触れてしまうと、動画が停止したり画面が遷移したりして、親の意図に沿わない操作が行われてしまうという問題がある。
【０００６】
本開示は、上記のような問題点を解決するためになされたものであって、ある局面における目的は、タッチパネルを備えた携帯端末装置を把持しているユーザ以外の他人の操作を無効にすることにより、ユーザが意図しない操作を防止することが可能な携帯端末装置を提供することである。
【課題を解決するための手段】
【０００７】
ある実施の形態に従う携帯端末装置は、筐体と、筐体の第１の面に設けられ、タッチ入力を受け付け可能なタッチパネルと、筐体を把持するユーザの手に接触する位置に設けられた電極と、制御部とを備える。制御部は、電極を介して電気信号を出力する出力部と、出力部により出力された電気信号を検出する検出部と、タッチパネルによりタッチ入力が受け付けられた場合に電気信号が検出されたときには当該受け付けられたタッチ入力を有効にし、タッチパネルによりタッチ入力が受け付けられた場合に電気信号が検出されないときには、受け付けられたタッチ入力を無効にする入力制御部とを含む。
【発明の効果】
【０００８】
本開示によると、タッチパネルを備えた携帯端末装置を把持しているユーザ以外の他人の操作を無効にすることにより、ユーザが意図しない操作を防止することが可能となる。
【図面の簡単な説明】
【０００９】
【図１】実施の形態１に従う携帯端末装置の外観を示す図である。
【図２】実施の形態１に従うタッチパネルおよび透明シートを示す図である。
【図３】実施の形態１に従う透明シートの導電性パターンの一例を示す図である。
【図４】実施の形態１に従う携帯端末装置の動作概要を説明するための図である。
【図５】実施の形態１に従う携帯端末装置の動作概要を説明するための図である。
【図６】実施の形態１に従う携帯端末装置のハードウェア構成を示すブロック図である。
【図７】実施の形態１に従う携帯端末装置の機能ブロック図である。
【図８】実施の形態１に従う携帯端末装置が実行する処理手順を示すフローチャートである。
【図９】実施の形態２に従う携帯端末装置のハードウェア構成を示すブロック図である。
【図１０】実施の形態２に従う携帯端末装置の機能ブロック図である。
【図１１】実施の形態２に従う携帯端末装置が実行する処理手順を示すフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜全体構成＞
図１は、実施の形態１に従う携帯端末装置の外観を示す図である。図２は、実施の形態１に従うタッチパネルおよび透明シートを示す図である。図３は、実施の形態１に従う透明シートの導電性パターンの一例を示す図である。
【００１２】
図１および図２を参照して、携帯端末装置１０は、たとえば、タッチパネル１１０を備えるスマートフォンである。以下では、スマートフォンを「携帯端末装置」の代表例として説明を行なう。ただし、携帯端末装置は、タブレット端末装置、デジタルカメラ、ノートパソコン、ＰＤＡ（Personal  Data  Assistance）などのような、他の携帯機器であってもよい。
【００１３】
タッチパネル１１０は、入力装置としてのタッチセンサ１０６と、表示装置としてのディスプレイ１０８とから構成されている。タッチパネル１１０は、携帯端末装置１０の筐体１２の正面に設けられており、タッチパネル１１０の表示画面１４は筐体１２の正面から露出している。筐体１２は、たとえば、ポリカーボネイト樹脂などのプラスチックによって構成される。タッチパネル１１０は、表示画面１４の全領域（全面）に対するタッチ入力を受け付ける（検出する）ことが可能である。
【００１４】
電極１１８は、筐体１２の正面とその裏面をつなぐ面である側面に配置されている。具体的には、電極１１８は、筐体１２の正面に対して右側の側面である右側面から露出した状態で配置されている。
【００１５】
また、タッチパネル１１０上には、表示画面１４の全領域（すなわち、タッチ入力受け付け可能領域）を覆うように高い光透過性を有する透明シート１２０が設けられている。透明シート１２０には、ミアンダ形状の導電性パターン１２２が形成されている。導電性パターン１２２は、透明シート１２０の全面に張り巡らされるように形成されていればよく、図１に示すようなミアンダ形状である場合に限られない。たとえば、導電性パターン１２２のパターン（配線）形状は、図３に示すような櫛形形状であってもよいし、スパイラル形状などであってもよい。
【００１６】
＜動作概要＞
図４および図５は、実施の形態１に従う携帯端末装置１０の動作概要を説明するための図である。図４を参照して、ユーザは、携帯端末装置１０を手で持って使用する。たとえば、ユーザは、筐体１２の長手方向を縦向きにしてタッチパネル１１０が手前となるように携帯端末装置１０を片手で把持している。このとき、筐体１２の右側面に配置された電極１１８にはユーザの指が接触している。
【００１７】
そして、ユーザがタッチパネル１１０を親指でタッチすると、タッチパネル１１０は当該タッチ入力を検出して、その検出信号を携帯端末装置１０のＣＰＵに入力する。携帯端末装置１０のＣＰＵは、タッチ入力が検出されたと判断して、電極１１８から微弱電流を出力する。そうすると、電極１１８から出力された微弱電流は、ユーザの手などの導体を介して、導電性パターン１２２が形成された透明シート１２０に流れる。携帯端末装置１０のＣＰＵは、透明シート１２０を介して電極１１８から出力された微弱電流を検出すると、ユーザのタッチ入力に応じた処理を実行する。
【００１８】
次に、図５を参照して、ユーザは、携帯端末装置１０を片手で把持しており電極１１８にはユーザの指が接触しているものの、タッチパネル１１０にはタッチしない場合を想定する。
【００１９】
ここで、ユーザ以外の他人がタッチパネル１１０にタッチすると、タッチパネル１１０は当該タッチ入力を検出して、検出信号を携帯端末装置１０のＣＰＵに入力する。携帯端末装置１０のＣＰＵは、タッチ入力が検出されたと判断して、電極１１８から微弱電流を出力する。しかしながら、ユーザがタッチパネル１１０にタッチしていないことから、携帯端末装置１０のＣＰＵは、透明シート１２０を介して電極１１８から出力された微弱電流を検出することができない。そのため、タッチパネル１１０によりタッチ入力が検出された場合であっても、携帯端末装置１０のＣＰＵは当該タッチ入力を無効にする。
【００２０】
このように、携帯端末装置１０は、筐体１２を把持しているユーザによりタッチパネル１１０にタッチ入力が行われた場合には、そのタッチ入力を有効にする。一方、携帯端末装置１０は、筐体１２を把持しているユーザ以外の他人によりタッチパネル１１０にタッチ入力が行われた場合には、そのタッチ入力を無効にする。そのため、携帯端末装置１０を把持しない者によるタッチ操作は、ユーザが意図しない操作であるとして、その操作を無効にして誤操作を防止することができる。
【００２１】
＜ハードウェア構成＞
図６は、実施の形態１に従う携帯端末装置１０のハードウェア構成を示すブロック図である。図６を参照して、携帯端末装置１０は、たとえば、ＣＰＵ１０２と、メモリ１０４と、タッチパネル１１０と、無線通信部１１２と、メモリインターフェイス（Ｉ／Ｆ）１１４と、通信インターフェイス（Ｉ／Ｆ）１１６と、電極１１８と、透明シート１２０とを含む。
【００２２】
ＣＰＵ１０２は、メモリ１０４に記憶されたプログラムを読み出して実行することで、携帯端末装置１０の各部の動作を制御する。より詳細にはＣＰＵ１０２は、当該プログラムを実行することによって、後述する携帯端末装置１０の処理（ステップ）の各々を実現する。
【００２３】
メモリ１０４は、ＲＡＭ（Random  Access  Memory）、ＲＯＭ（Read-Only  Memory）、フラッシュメモリなどによって実現される。メモリ１０４は、ＣＰＵ１０２によって実行されるプログラム、またはＣＰＵ１０２によって用いられるデータなどを記憶する。
【００２４】
タッチパネル１１０は、タッチセンサ１０６とディスプレイ１０８とを含む。タッチセンサ１０６は、たとえば、タッチフィルム、タッチシート、タッチパッドなどの形態を有しており、ユーザからのタッチ入力の位置を検出可能に構成されている。具体的には、タッチセンサ１０６は、所定時間毎に外部物体によるタッチパネル１１０（ディスプレイ１０８）へのタッチ入力を検出し、タッチが検出された場所の位置情報（たとえば、タッチ座標）をＣＰＵ１０２に入力する。ディスプレイ１０８は、たとえば、液晶ディスプレイ、有機ＥＬディスプレイなどから構成される。
【００２５】
また、タッチパネル１１０上には、透明シート１２０が設けられている。なお、タッチパネル１１０は、光学方式、抵抗膜方式、表面弾性波方式、赤外線方式、電磁誘導方式、静電容量方式などのいずれのタイプのタッチパネルであってもよい。
【００２６】
無線通信部１１２は、通信アンテナ１１３を介して無線通信網に接続し無線通信のための信号を送受信する。これにより、携帯端末装置１０は、たとえば、第３世代移動通信システム（３Ｇ）、ＬＴＥ（Long  Term  Evolution）などの移動体通信網を介して他の通信装置との通信が可能となる。
【００２７】
メモリインターフェイス（Ｉ／Ｆ）１１４は、外部の記憶媒体１１５からデータを読み出す。ＣＰＵ１０２は、メモリ１０４からデータを読み出して、メモリインターフェイス１１４を介して当該データを外部の記憶媒体１１５に格納する。なお、記憶媒体１１５としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にデータを格納する媒体が挙げられる。
【００２８】
通信インターフェイス（Ｉ／Ｆ）１１６は、外部装置との間で各種データをやり取りするものである。なお、通信方式としては、たとえば、Ｂｌｕｅｔｏｏｔｈ（登録商標）、無線ＬＡＮ（Local  Area  Network）などによる無線通信であってもよいし、ＨＤＭＩ（登録商標）（High-Definition  Multimedia  Interface）ケーブル、ＵＳＢケーブルなどを利用した有線通信であってもよい。
【００２９】
電極１１８は、筐体１２を把持するユーザの手に接触する位置に設けられ、電気信号の出力端子として機能する。図１では、一例として筐体１２の右側面に設けられる構成について説明したが、これに限られない。典型的には、電極１１８は、タッチパネル１１０が設けられた筐体１２の正面とは異なる面に設けられる。そのため、たとえば、電極１１８は、筐体１２の正面に対して左側の側面である左側面に設けられていてもよいし、筐体１２の裏面に設けられていてもよい。また、電極１１８は、筐体１２の正面（ただし、表示画面以外の位置）に設けられていてもよい。
【００３０】
また、電極１１８は、筐体１２を把持するユーザの手に接触しそうな位置に複数個（たとえば、筐体１２の左右側面および裏面）設けられていてもよい。これにより、把持形態によらず電気信号をユーザに流すことができる。
【００３１】
なお、ＣＰＵ１０２は、電極１１８を介して微弱電流を出力できればよい。そのため、微弱電流を出力するための専用の電極を設けることなく、その他の別の機能（タッチセンサなど）を有するハードウェアが電極として利用される場合であってもよい。たとえば、ＣＰＵ１０２は、携帯端末装置１０が第１のモードに設定されている場合には当該ハードウェアを微弱電流を出力させるための出力端子として機能させ、携帯端末装置１０が第２のモードに設定されている場合には当該ハードウェアをタッチセンサとして機能させる。たとえば、ユーザは、タッチパネル１１０を介して、第１および第２のモードを設定することが可能である。
【００３２】
なお、携帯端末装置１０は、ユーザからの指示を受け付けるためのボタン、音声を出力するためのスピーカ、携帯端末装置１０に対する発話を受け付けるマイクを含んでいてもよい。
【００３３】
＜機能構成＞
図７は、実施の形態１に従う携帯端末装置１０の機能ブロック図である。図７を参照して、携帯端末装置１０は、主たる機能構成として、信号出力部２０２と、信号検出部２０４と、入力制御部２０６とを含む。これらの機能は、主に、携帯端末装置１０のＣＰＵ１０２がメモリ１０４に格納されたプログラムを実行し、携帯端末装置１０の構成要素へ指令を与えることなどによって実現される。これらの機能構成の一部または全部はハードウェアで実現されてもよい。
【００３４】
信号出力部２０２は、タッチパネル１１０によりタッチ入力が受け付けられた場合に、電極１１８を介して電気信号（微弱電流）を出力する。具体的には、信号出力部２０２は、タッチパネル１１０によりタッチ入力が検出されたことを示すタッチ検出信号の入力を受け付けると、電極１１８を介して電気信号（微弱電流）を出力する。これにより、タッチパネル１１０に対してタッチされたときにのみ電気信号が出力されるため、携帯端末装置１０の消費電力を軽減することができる。ただし、信号出力部２０２は、タッチ検出信号の入力を受け付けたときに電気信号を出力するのではなく、常に電気信号を出力し続けていてもよい。
【００３５】
信号検出部２０４は、信号出力部２０２から出力された電気信号（微弱電流）を検出する。具体的には、筐体１２を把持しているユーザが電極１１８に接触した状態でタッチパネル１１０にタッチすると、信号出力部２０２から出力された電気信号は電極１１８、ユーザおよび透明シート１２０を介して信号検出部２０４に入力される。信号検出部２０４は、当該入力される電気信号を検出する。信号検出部２０４は、電気信号（微弱電流）を検出した場合には、電気信号が検出されたことを示す信号検出情報を入力制御部２０６に送出する。
【００３６】
入力制御部２０６は、タッチパネル１１０によりタッチ入力が受け付けられた場合に電気信号が検出されたときには当該受け付けられたタッチ入力を有効にする。一方、入力制御部２０６は、タッチパネル１１０によりタッチ入力が受け付けられた場合に電気信号が検出されないときには当該受け付けられたタッチ入力を無効にする。
【００３７】
具体的には、入力制御部２０６は、タッチパネル１１０からタッチ検出信号を受け付けることにより、タッチ入力があったことを把握する。さらに、入力制御部２０６は、信号検出部２０４から信号検出情報を受信した場合には筐体１２を把持しているユーザによりタッチ入力が行われたと判断して、当該タッチ入力を有効にする。一方、入力制御部２０６は、信号検出部２０４から信号検出情報を受信していない場合には筐体１２を把持しているユーザ以外の他人によりタッチ入力が行われたと判断して、当該タッチ入力を無効にする。
【００３８】
＜処理手順＞
図８は、実施の形態１に従う携帯端末装置１０が実行する処理手順を示すフローチャートである。
【００３９】
図８を参照して、ＣＰＵ１０２は、タッチパネル１１０を介して、タッチ入力を受け付けたか否かを判断する（ステップＳ１０）。タッチ入力が受け付けられていない場合には（ステップＳ１０においてＮＯ）、ＣＰＵ１０２はステップＳ１０の処理を繰り返す。これに対して、タッチ入力が受け付けられた場合には（ステップＳ１０においてＹＥＳ）、ＣＰＵ１０２は、電極１１８を介して微弱電流を出力する（ステップＳ１２）。
【００４０】
次に、ＣＰＵ１０２は、電極１１８を介して出力された微弱電流を検出したか否かを判断する（ステップＳ１４）。微弱電流が検出された場合には（ステップＳ１４においてＹＥＳ）、ＣＰＵ１０２は、当該受け付けたタッチ入力を有効にして（ステップＳ１６）、当該タッチ入力に応じた処理を実行する（ステップＳ１８）。たとえば、ＣＰＵ１０２は、タッチ位置に対応付けられているキーに応じた処理（アプリケーションの起動および終了、画面遷移、動画の再生など）を実行する。そして、処理は終了する。
【００４１】
これに対して、微弱電流が検出されない場合には（ステップＳ１４においてＮＯ）、ＣＰＵ１０２は、当該受け付けたタッチ入力を無効にして（ステップＳ２０）、処理を終了する。すなわち、ＣＰＵ１０２は、当該受け付けたタッチ入力に応じた処理を実行しない。
【００４２】
＜利点＞
実施の形態１によると、携帯端末装置を把持していない者によるタッチ操作は無効化されるため、ユーザの意図しない操作を防止することができる。
【００４３】
［実施の形態２］
実施の形態１に従う携帯端末装置１０は、タッチパネル１１０上に透明シート１２０を備えていた。そして、携帯端末装置１０は、透明シート１２０を介して微弱電流を検出することにより、筐体１２を把持しているユーザによるタッチ入力なのか否かを判断していた。実施の形態２では、携帯端末装置が透明シート１２０を使用せずにユーザによるタッチ入力なのか否かを判断する構成について説明する。
【００４４】
＜ハードウェア構成＞
図９は、実施の形態２に従う携帯端末装置１０Ａのハードウェア構成を示すブロック図である。図９を参照して、携帯端末装置１０Ａは、たとえば、ＣＰＵ１０２と、メモリ１０４と、タッチパネル１１０と、無線通信部１１２と、メモリインターフェイス（Ｉ／Ｆ）１１４と、通信インターフェイス（Ｉ／Ｆ）１１６と、電極１１８とを含む。すなわち、携帯端末装置１０Ａのハードウェア構成は、携帯端末装置１０のハードウェア構成から透明シート１２０を除いた構成である。そのため、携帯端末装置１０Ａのハードウェア構成についてはその詳細な説明は繰り返さない。
【００４５】
＜機能構成＞
図１０は、実施の形態２に従う携帯端末装置１０Ａの機能ブロック図である。図１０を参照して、携帯端末装置１０Ａは、主たる機能構成として、信号出力部２０２Ａと、信号検出部２０４Ａと、入力制御部２０６Ａとを含む。これらの機能は、主に、携帯端末装置１０ＡのＣＰＵ１０２がメモリ１０４に格納されたプログラムを実行し、携帯端末装置１０Ａの構成要素へ指令を与えることなどによって実現される。これらの機能構成の一部または全部はハードウェアで実現されてもよい。
【００４６】
信号出力部２０２Ａは、電極１１８を介して電気信号（パルス信号）を出力する。
信号検出部２０４Ａは、タッチパネル１１０によりタッチ入力が受け付けられた場合に、当該受け付けられたタッチ入力の信号に重畳されている電気信号（パルス信号）を検出する。具体的には、筐体１２を把持しているユーザが電極１１８に接触した状態でタッチパネル１１０にタッチすると、信号出力部２０２から出力されたパルス信号は電極１１８、ユーザの指を介してタッチパネル１１０に入力される。そのため、タッチパネル１１０から信号検出部２０４Ａに入力されるタッチ検出信号にパルス信号が重畳されることになる。信号検出部２０４Ａは、このパルス信号を検出可能に構成されている。信号検出部２０４は、電気信号（パルス信号）を検出した場合には、電気信号が検出されたことを示す信号検出情報を入力制御部２０６に送出する。
【００４７】
入力制御部２０６Ａは、パルス信号が検出された場合には当該受け付けられたタッチ入力を有効にし、パルス信号が検出されない場合には当該受け付けられたタッチ入力を無効にする。
【００４８】
＜処理手順＞
図１１は、実施の形態２に従う携帯端末装置１０Ａが実行する処理手順を示すフローチャートである。
【００４９】
図１１を参照して、ＣＰＵ１０２は、電極１１８を介してパルス信号を出力する（ステップＳ３０）。ＣＰＵ１０２は、タッチパネル１１０を介して、タッチ入力を受け付けたか否かを判断する（ステップＳ３２）。タッチ入力が受け付けられていない場合には（ステップＳ３２においてＮＯ）、ＣＰＵ１０２はステップＳ３２の処理を繰り返す。
【００５０】
これに対して、タッチ入力が受け付けられた場合には（ステップＳ３２においてＹＥＳ）、ＣＰＵ１０２は、タッチパネル１１０からのタッチ検出信号に重畳されているパルス信号を検出したか否かを判断する（ステップＳ３４）。パルス信号が検出された場合には（ステップＳ３４においてＹＥＳ）、ＣＰＵ１０２は、当該受け付けたタッチ入力を有効にする（ステップＳ３６）。そして、ＣＰＵ１０２は、当該タッチ入力に応じた処理を実行して（ステップＳ３８）、処理を終了する。
【００５１】
これに対して、パルス信号が検出されない場合には（ステップＳ３４においてＮＯ）、ＣＰＵ１０２は、当該受け付けたタッチ入力を無効にして（ステップＳ４０）、処理を終了する。すなわち、ＣＰＵ１０２は、当該受け付けたタッチ入力に応じた処理を実行しない。
【００５２】
なお、実施の形態２では、電極１１８から出力される電気信号がパルス信号である例を示したが、当該電気信号はこれに限定されない。当該電気信号は、タッチ検出信号と区別できる電気信号を採用すればよく、たとえば、タッチ検出信号と周波数で分離可能な電気信号であってもよい。
【００５３】
また、実施の形態２では、パルス信号を出力している状態でタッチ入力の有無を判断する構成について説明したが、実施の形態１に示したように、タッチ入力が受け付けられたことを検出した後に、パルス信号が出力されるように構成されていてもよい。この場合、タッチ入力を受け付けた場合のみ電極１１８からパルス信号が出力されるため、携帯端末装置の省電力化を図ることができる。
【００５４】
＜利点＞
実施の形態２によると、実施の形態１の効果に加えて、携帯端末装置の構成をより簡易にすることができる。
【００５５】
＜実施の形態３＞
実施の形態３では、上述した実施の形態おける携帯端末装置１０，１０Ａが、筐体１２への人体の接触を検知する接触検知部をさらに含む構成について説明する。接触検知部は、たとえば、筐体１２の側面に配置される（１つまたは複数の）グリップセンサである。グリップセンサは、たとえば、静電容量方式のタッチセンサ、圧力の変化を検出するセンサ、電気抵抗の変化、または温度の変化を検知することでグリップセンサへの人体の接触を検知する。グリップセンサは、人体の接触を検知したことを示す検知信号をＣＰＵ１０２に入力する。
【００５６】
実施の形態３では、ＣＰＵ１０２は、グリップセンサにより筐体１２への人体の接触が検知された場合に、タッチパネル１１０（ディスプレイ１０８）の表示を有効にして所定の画面（たとえば、ロック解除画面）を表示させる。そして、ＣＰＵ１０２は、図８または図１１に示す処理を実行する。具体的には、実施の形態１を採用する構成においては、ＣＰＵ１０２は、グリップセンサにより筐体１２への人体の接触が検知された場合に、ステップＳ１０からの処理を実行する。すなわち、当該接触が検知された場合に、信号出力部２０２、信号検出部２０４および入力制御部２０６による一連の処理が実行される。
【００５７】
また、実施の形態２を採用する構成においては、ＣＰＵ１０２は、グリップセンサにより筐体１２への人体の接触を検知した場合にステップＳ３０からの処理を実行する。すなわち、当該接触が検知された場合に、信号出力部２０２Ａ、信号検出部２０４Ａおよび入力制御部２０６Ａによる一連の処理が実行される。
【００５８】
なお、ＣＰＵ１０２は、当該接触を検知しない場合にはステップＳ１０（またはステップＳ３０）からの処理を実行しない。
【００５９】
＜利点＞
実施の形態３によると、グリップセンサにより携帯端末装置の筐体へのユーザの接触を検知した場合に限って、筐体を把持しているユーザによるタッチ操作を有効にし、それ以外の他人のタッチ操作を無効にするという処理が実行される。そのため、そもそもユーザが筐体を把持していない場合には、当該処理は実行されない。これによると、ユーザが携帯端末装置を把持していない状態（たとえば、携帯端末装置を机上に置いた状態）でタッチ操作する場合における操作感を損なわないようにすることができる。
【００６０】
＜その他の実施の形態＞
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６１】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００６２】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【００６３】
また、上述した実施の形態において、他の実施の形態で説明した処理や構成を適宜採用して実施する場合であってもよい。
【００６４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６５】
１０，１０Ａ  携帯端末装置、１２  筐体、１４  表示画面、１０２  ＣＰＵ、１０４  メモリ、１０６  タッチセンサ、１０８  ディスプレイ、１１０  タッチパネル、１１２  無線通信部、１１３  通信アンテナ、１１４  メモリインターフェイス、１１５  記憶媒体、１１８  電極、１２０  透明シート、１２２  導電性パターン、２０２，２０２Ａ  信号出力部、２０４，２０４Ａ  信号検出部、２０６，２０６Ａ  入力制御部。
【図１】
2016057681.tif 000003
【図２】
2016057681.tif 000004
【図３】
2016057681.tif 000005
【図４】
2016057681.tif 000006
【図５】
2016057681.tif 000007
【図６】
2016057681.tif 000008
【図７】
2016057681.tif 000009
【図８】
2016057681.tif 000010
【図９】
2016057681.tif 000011
【図１０】
2016057681.tif 000012
【図１１】
2016057681.tif 000013